【手続補正書】
【提出日】令和2年12月17日(2020.12.17)
【手続補正１】
【補正対象書類名】特許請求の範囲
【補正対象項目名】全文
【補正方法】変更
【補正の内容】
【特許請求の範囲】
【請求項１】
ポリウレタンコールドボックス法用の二成分バインダー系のフェノール樹脂成分に使用するためのフェノール樹脂であって、下記成分を含む、前記フェノール樹脂：
(a)下記の構造単位を有するレゾール：
【化１】
2020503177.tif 000001
(式中、２位、４位および６位のうちの１つ、２つまたは３つにおいて、水素への結合の代わりに、前記レゾールのさらなる構造単位への結合がある)、
(a2) 式(A2)の１つ以上の構造単位
【化２】
2020503177.tif 000002
(式中、置換基Rは、任意の置換基が含まれる、合計で５〜３５個の炭素原子を有する(a2-i)置換されたもしくは置換されていない、(a2-ii)脂肪族の、(a2-iii)分枝されたもしくは分枝されていない、(a2-iv)飽和もしくは不飽和の基であり、
２位、４位および６位のうちの１つ、２つまたは３つにおいて、水素への結合の代わりに、前記レゾールのさらなる構造単位への結合がある)、
(a3) 式(A3)の１つ以上の構造単位
【化３】
2020503177.tif 000003
(式中、置換基R'は、２位または４位に置換されており、任意の置換基が含まれる、合計で１〜１５個の炭素原子を有する(a3-i)置換されたもしくは置換されていない、(a3-ii)脂肪族の、(a3-iii)分枝されたもしくは分枝されていない、(a3-iv)飽和もしくは不飽和の基であり、
残りの２位、４位および６位のうちの１つ、２つまたは３つにおいて、水素への結合の代わりに、前記レゾールのさらなる構造単位への結合がある)、
(a4) ２つのフェノール環を結合するリンクとして
【化４】
2020503177.tif 000004
(a5) ２つのフェノール環を結合するリンクとして
【化５】
2020503177.tif 000005
【請求項２】
式(A2)の構造単位においてまたは少なくとも構造単位のうちの１つにおいて、置換基Rが合計で５〜３５個の炭素原子、好ましくは合計で５〜１５個の炭素原子を有する(a2-i)置換されていない、(a2-ii)脂肪族の、(a2-iii)分枝されていない基である、請求項１記載のフェノール樹脂。
【請求項３】
式(A2)の構造単位においてまたは少なくとも構造単位のうちの１つにおいて、置換基Rが(a2-iv)モノ不飽和もしくはポリ不飽和、好ましくはモノ不飽和、ジ不飽和もしくはトリ不飽和である、請求項１または２記載のフェノール樹脂。
【請求項４】
式(A2)の構造単位においてまたは少なくとも構造単位のうちの１つにおいて、置換基Rが合計で１５個の炭素原子を有する(a2-i)置換されていない、(a2-ii)脂肪族の、(a2-iii)分枝されていない基であり、(a2-iv)はトリ不飽和であり、二重結合は好ましくは８位、１１位および１４位に位置する、請求項１〜３のいずれか１項記載のフェノール樹脂。
【請求項５】
式(A2)の構造単位が式(A2-A)の１つ以上の構造単位である、請求項１〜４のいずれか１項記載のフェノール樹脂：
【化６】
2020503177.tif 000006
(A2-A)
(式中、破線で示されている結合の１つ、２つまたはすべては二重結合を表し、２位、４位および６位のうちの１つ、２つまたは３つにおいて、水素への結合の代わりに、前記レゾールのさらなる構造単位への結合がある)。
【請求項６】
式(A3)の構造単位においてまたは少なくとも構造単位のうちの１つにおいて、置換基R'がフェノールのOHに対してオルト位に位置している、請求項１〜５のいずれか１項記載のフェノール樹脂。
【請求項７】
式(A3)の構造単位においてもしくは少なくとも構造単位のうちの１つにおいて、置換基R'が、(a3-i)置換されていない、(a3-iii)分枝されたもしくは分枝されていない、(a3-iv)飽和の、好ましくは１〜９個の炭素原子、より好ましくは１個、４個、８個または９個の炭素原子を有するアルキル基である、請求項１〜６のいずれか１項記載のフェノール樹脂。
【請求項８】
成分(a)の前記レゾールにおいて、構造単位a1とa2とのモル比が１０：１〜９９：１、好ましくは１５：１〜５０：１の範囲内である、請求項１〜７のいずれか１項記載のフェノール樹脂。
【請求項９】
成分(a)の前記レゾールにおいて、構造単位a1とa3とのモル比が１：１〜10：１の範囲内、好ましくは１．５：１〜３．５：１の範囲内である、請求項１〜８のいずれか１項記載のフェノール樹脂。
【請求項１０】
成分(a)の前記レゾールにおいて、構造単位a2とa3とのモル比が５：１〜３０：１、好ましくは１０：１〜２０：１の範囲内である、請求項１〜９のいずれか１項記載のフェノール樹脂。
【請求項１１】
成分(a)の前記レゾールにおいて、構造単位a4とa5とのモル比が９０：１０〜１０：９０の範囲内である、請求項１〜１０のいずれか１項記載のフェノール樹脂。
【請求項１２】
式(A2)の構造単位が式(A2-A)の１つ以上の構造単位である、請求項１〜１１のいずれか１項記載のフェノール樹脂：
【化７】
2020503177.tif 000007
(A2-A)
(式中、破線で示されている結合の１つ、２つ、またはすべてが二重結合を表し、
式(A3)の１つの構造単位においてもしくは少なくとも構造単位のうちの１つにおいて、置換基R'はフェノールのOHに対してオルト位に位置し、置換基R'はメチル基である)。
【請求項１３】
ポリウレタンコールドボックス法用の二成分バインダー系の成分として使用するためのフェノール樹脂成分であって、下記成分を含む、前記フェノール樹脂成分
−請求項１〜１２のいずれか１項記載のフェノール樹脂、および
−前記フェノール樹脂用の溶媒。
【請求項１４】
フェノール樹脂成分とそれとは別のイソシアネート成分とを含む、ポリウレタンコールドボックス法に使用するための二成分バインダー系であって、前記フェノール樹脂成分が請求項１〜１２のいずれか１項記載のフェノール樹脂を含みかつ/または請求項１３記載のフェノール樹脂成分である、前記二成分バインダー系。
【請求項１５】
第三級アミンまたは２種以上の第三級アミンの混合物と接触させることにより硬化させるための混合物であって、請求項１４記載の二成分バインダー系の成分を混合することにより調製することができる、前記混合物。
【請求項１６】
ポリウレタンコールドボックス法におけるモールド基材またはモールド基材の混合物を結合させるための、請求項１〜１２のいずれか１項記載のフェノール樹脂、請求項１３記載のフェノール樹脂成分、請求項１４記載の二成分バインダー系もしくは請求項１５記載の混合物の使用。
【請求項１７】
請求項１５記載の混合物から製造できる、フィーダー、鋳造用モールドおよび鋳造用コアからなる群からの物品。
【請求項１８】
フェノール樹脂の調製方法であって、下記の工程を含む、前記方法：
(A)フェノールを準備または調製する工程、
(B)一般式(I)を有する１種以上の化合物を準備または調製する工程
【化８】
2020503177.tif 000008
(式中、置換基Rは、任意の置換基が含まれる、合計で５〜３５個の炭素原子を有する(a2-i)置換されたもしくは置換されていない、(a2-ii)脂肪族の、(a2-iii)分枝されたもしくは分枝されていない、(a2-iv)飽和もしくは不飽和の基である)
(C)一般式(II)を有する１種以上の化合物の準備または調製する工程
【化９】
2020503177.tif 000009
(式中、置換基R'は、２位または４位で置換されており、任意の置換基が含まれる、合計で１〜12個の炭素原子を有する(a3-i)置換されたもしくは置換されていない、(a3-ii)脂肪族の、(a3-iii)分枝されたもしくは分枝されていない、(a3-iv)飽和もしくは不飽和の基である)、
(D)ホルムアルデヒドを準備または調製する工程、
(E)金属二価イオンを金属触媒として準備する工程および
(Ｆ)工程(A)〜(D)で準備または調製された前記化合物を工程(E)で準備された金属二価イオンを金属触媒として使用して縮合により組み込まれる工程であり、前記縮合は弱酸性媒体中で行われる、前記工程。